(57)【要約】【課題】  カメラを取出容易であって、かつカメラを人体に強固に保持することのできるカメラケースを提供すること。【解決手段】  カメラ本体４１とカメラ本体４１の一面に突設された筒状のレンズ体４２とからなるカメラ４を保持固定するケース本体１を有するカメラケースにおいて、ケース本体１はレンズ体４２が出入自在な筒状の保持部１０と、保持部１０を人体腰部に固定する吊下部３０とを有し、保持部１０はその上縁部にレンズ体４２が保持部１０に挿入された状態でカメラ本体４２を戴置する戴置部１３が形成されてなる。【選択図】  図１
2006081776.tif 000002
【特許請求の範囲】
【請求項１】
カメラ本体と該カメラ本体の一面に突設された筒状のレンズ体とからなるカメラを保持固定するケース本体を有するカメラケースにおいて、
上記ケース本体は上記レンズ体が出入自在な筒状の保持部と、該保持部の上方を跨ぐ帯状の固定ベルトと、上記保持部を人体腰部に固定する吊下部とを有し、
上記保持部はその上縁部に上記レンズ体が上記保持部に挿入された状態で上記カメラ本体を戴置する戴置部が形成されてなることを特徴とするカメラケース。
【請求項２】
カメラ本体と該カメラ本体の一面に突設された筒状のレンズ体とからなるカメラを保持固定するケース本体を有するカメラケースにおいて、
上記ケース本体は上下端が開口した筒状の保持部と、該保持部の上方を跨ぐと共に保持部の前面に係脱自在な固定ベルトと、上記保持部を人体腰部に固定する吊下部とを有し、
上記保持部は人体腰部に当接する腰当て基板と、該腰当て基板の前面側に中空部を形成するように取付けられる帯状の覆部とから構成されて上記レンズ体が出入自在な筒状を形成し、上記覆部はその上縁部に上記レンズ体が上記保持部に挿入された状態で上記カメラ本体を戴置する戴置部が形成されてなることを特徴とするカメラケース。
【請求項３】
上記覆部は係脱自在な第１係合部材を介して上記腰当て基板に取付けられることを特徴とする請求項２記載のカメラケース。
【請求項４】
上記腰当て基板は両端部に帯片をそれぞれ有し、該各帯片が上記覆部と巻き帯状に接離自在とされてなることを特徴とする請求項２記載のカメラケース。
【請求項５】
上記固定ベルトは係脱自在な第２係合部材を介して上記覆部の前面に係止されてなることを特徴とする請求項２〜４のいずれか１項に記載のカメラケース。
【請求項６】
上記吊下部は上記腰当て基板の上片を折り曲げその端部が当該腰当て基板の背面に固定されることによって中空状に形成されてなることを特徴とする請求項２〜５のいずれか１項に記載のカメラケース。
【請求項７】
上記吊下部は人体腰部に巻き付けられる帯状の吊り紐を有し、該吊り紐は上記腰当て基板の両端部に取付けられて輪状を形成してなることを特徴とする請求項２〜６のいずれか１項に記載のカメラケース。
【発明の詳細な説明】
【技術分野】
【０００１】
本発明はカメラケースに関し、特にカメラ本体及びレンズ体からなるカメラを人体腰部に吊り下げるカメラケースに関する。
【背景技術】
【０００２】
従来からカメラを携行する場合、袋物の中に他の物と一緒に入れて持ち歩くか、または吊り紐等を有しカメラ全体の形状に略適合するカメラケースに収納し、肩掛け状態や腰巻状態等にして持ち歩き、他のものと接触してもカメラが傷まないようにしている。カメラケースとしては、カメラ全体を包み、ケース本体の上部をファスナー等を設けて開閉自在な蓋状とし、カメラの取り出しを可能としている。カメラ全体を包んで納めるカメラケースとしては、例えば特許文献１に挙げるようなものがある。
【特許文献１】特開２００２−３３６０２６号公報
【発明の開示】
【発明が解決しようとする課題】
【０００３】
しかし、従来のカメラケースはケース本体を袋状としてカメラ全体を包むように収納し、ケース上面を開閉自在として収納されたカメラを取り出すように構成しているために、カメラを即座に取り出すことは難しく、したがってシャッターチャンスを逃がしてしまうことがあった。
【０００４】
本発明は、上記課題を鑑みてなされたものであり、カメラを取出容易であって、かつカメラを人体に強固に保持することのできるカメラケースを提供することを目的とする。
【課題を解決するための手段】
【０００５】
上記課題を解決するため、本発明に係るカメラケースは、カメラ本体と該カメラ本体の一面に突設された筒状のレンズ体とからなるカメラを保持固定するケース本体を有するカメラケースにおいて、
上記ケース本体は上記レンズ体が出入自在な筒状の保持部と、該保持部の上方を跨ぐ帯状の固定ベルトと、上記保持部を人体腰部に固定する吊下部とを有し、
上記保持部はその上縁部に上記レンズ体が上記保持部に挿入された状態で上記カメラ本体を戴置する戴置部が形成されてなることを特徴として構成されている。
【０００６】
また、本発明に係るカメラケースは、カメラ本体と該カメラ本体の一面に突設された筒状のレンズ体とからなるカメラを保持固定するケース本体を有するカメラケースにおいて、
上記ケース本体は上下端が開口した筒状の保持部と、該保持部の上方を跨ぐと共に保持部の前面に係脱自在な固定ベルトと、上記保持部を人体腰部に固定する吊下部とを有し、
上記保持部は人体腰部に当接する腰当て基板と、該腰当て基板の前面側に中空部を形成するように取付けられる帯状の覆部とから構成されて上記レンズ体が出入自在な筒状を形成し、上記覆部はその上縁部に上記レンズ体が上記保持部に挿入された状態で上記カメラ本体を戴置する戴置部が形成されてなることを特徴として構成されている。
【０００７】
さらに、本発明に係るカメラケースは、上記覆部は係脱自在な第１係合部材を介して上記腰当て基板に取付けられることを特徴として構成されている。
【０００８】
さらにまた、本発明に係るカメラケースは、上記腰当て基板は両端部に帯片をそれぞれ有し、該各帯片が上記覆部と巻き帯状に接離自在とされてなることを特徴として構成されている。
【０００９】
そして、本発明に係るカメラケースは、上記固定ベルトは係脱自在な第２係合部材を介して上記覆部の前面に係止されてなることを特徴として構成されている。
【００１０】
また、本発明に係るカメラケースは、上記吊下部は上記腰当て基板の上片を折り曲げその端部が当該腰当て基板の背面に固定されることによって中空状に形成されてなることを特徴として構成されている。
【００１１】
さらに、本発明に係るカメラケースは、上記吊下部は人体腰部に巻き付けられる帯状の吊り紐を有し、該吊り紐は上記腰当て基板の両端部に取付けられて輪状を形成してなることを特徴として構成されている。
【発明の効果】
【００１２】
本発明に係るカメラケースによれば、ケース本体はレンズ体が出入自在な筒状の保持部と、保持部の上方を跨ぐ帯状の固定ベルトと、保持部を人体腰部に固定する吊下部とを有し、保持部は上縁部にレンズ体が保持部に挿入された状態でカメラ本体を戴置する戴置部が形成されてなることにより、筒状の保持部にレンズ体を挿入するだけで、カメラ本体を載置部によって保持することができ、かつ固定ベルトの着脱により容易に保持部に挿入したカメラ本体を固定したり取り出したりすることができるので、カメラを即座にケースに納め、また取り出すことができる。また、保持部によりカメラ全体を覆うことなくカメラを保持するため、ケース本体を軽量化できる。
【００１３】
また、本発明に係るカメラケースによれば、ケース本体は上下端が開口した筒状の保持部と、保持部の上方を跨ぐと共に保持部の前面に係脱自在な固定ベルトと、保持部を人体腰部に固定する吊下部とを有し、保持部は腰当て基板と、帯状の覆部とから構成されてレンズ体が出入自在な筒状を形成し、覆部の上縁部に戴置部が形成されてなることにより、筒状の保持部にレンズ体を挿入するだけで、カメラ本体を載置部によって保持することができ、かつ固定ベルトの着脱により容易に保持部に挿入したカメラ本体を固定したり取り出したりすることができるので、カメラを即座にケースに納め、また取り出すことができる。また、保持部を腰当て基板と、帯状の覆部とから構成しているので、ケース本体を人体腰部にしっかりと固定でき、また覆部の調整も容易である。
【００１４】
さらに、本発明に係るカメラケースによれば、覆部は係脱自在な第１係合部材を介して腰当て基板に取付けられることにより、レンズ体の太さに応じて容易に保持部の直径を調整することができる。
【００１５】
さらにまた、本発明に係るカメラケースによれば、腰当て基板は両端部に帯片をそれぞれ有し、各帯片が覆部と巻き帯状に接離自在とされてなることにより、覆部の位置決めを容易に行うことができ保持部の直径について調整することがさらに容易である。
【００１６】
そして、本発明に係るカメラケースによれば、固定ベルトは係脱自在な第２係合部材を介して上記覆部の前面に係止されてなることにより、固定ベルトと覆部とを容易に係脱自在とすることができ、カメラの出し入れの阻害とならないようにすることができる。
【００１７】
また、本発明に係るカメラケースによれば、吊下部は腰当て基板の上片を折り曲げその端部が当該腰当て基板の背面に固定されることによって中空状に形成されてなることにより、吊下部は左右方向に開口した中空状とすることができるので、人体腰部のベルトを通すことができ、ケース本体を人体腰部にしっかりと吊り下げて固定することができる。
【００１８】
さらに、本発明に係るカメラケースによれば、吊下部は人体腰部に巻き付けられる帯状の吊り紐を有し、吊り紐は腰当て基板の両端部に取付けられて輪状を形成してなることにより、腰巻状に保持部を人体腰部に固定し、人体腰部に対する固定を補強することができる。
【発明を実施するための最良の形態】
【００１９】
本発明の実施形態について図面に沿って詳細に説明する。図１は本実施形態におけるカメラケースにカメラ４を納めた状態の斜視図であり、図２は本実施形態におけるカメラケースの斜視図、図３はカメラケースの側面図、図４はカメラケースの平面図である。これら各図において本実施形態におけるカメラケースはカメラ本体４１とカメラ本体４１の一面に突設された筒状のレンズ体４２とからなるカメラ４を保持固定するケース本体１からなり、このケース本体１は、レンズ体４２を保持すると共にカメラ本体４１を載置して支持する保持部１０を有してなるものである。また、図１に示すように、本実施形態のカメラケースに納めるカメラ４は、所謂一眼レフタイプのカメラであって、レンズ体４２がカメラ本体４１と比べても非常に大きく、これをそのまま携行すると歩行などに際して障害となるものである。
【００２０】
ケース本体１は、図１に示すように筒状のレンズ体４２よりも大きな内径を有して、レンズ体４２を出入自在とした筒状の保持部１０と、保持部１０内にレンズ体４２を納めた状態でカメラ本体４１を保持部１０に対して固定する帯状の固定ベルト２０とを有している。さらに図２に示すようにケース本体１は、保持部１０を人体腰部のベルト５０に対して固定するための吊下部３０を有している。ケース本体１は、その略全体を布材により形成して、カメラ本体４１及びレンズ体４２に対する外的作用による損傷を防ぐ。ここで、ケース本体１の材質については、本実施形態に限られず、レザー素材によるものなど軽量で加工が容易なものであれば他の素材を用いてもよい。
【００２１】
保持部１０は、図３に示すように、厚手の板状に形成される腰当て基板１１と、この腰当て基板１１の前方にレンズ体４２を納める中空部１０ａを形成するように設けられる帯状の覆部１２とから構成される。腰当て基板１１は、人体腰部に当接するもので、内部にクッションを設けて人体に対する衝撃を和らげるようにすると共に、カメラ４に対しても衝撃を与えないようにしている。
【００２２】
また、図４に示すように、腰当て基板１１にはその前面側の両端部に帯片１４、１４がそれぞれ形成されている。覆部１２は、各帯片１４、１４を懸架するように設けられ、その内面が各帯片１４、１４の外面と巻き帯状となるように当接配置されており、各面に設けられた面ファスナにより接離自在とされる。すなわち、覆部１２は各帯片１４、１４を介して腰当て基板１１と連結し、保持部１０を形成する。そして、レンズ体４２を納める中空部１０ａは、図４に示すように、帯片１４、１４と覆部１２及び腰当て基板１１によって、半円形状ないしＵ字形形状に形成される。なお、覆部１２と接合する帯片１４は腰当て基板１１の端部どちらか一方のみに有することとしてもよい。この場合には覆部１２は、その一端部が腰当て基板１１と直接連結されることになる。
【００２３】
また、中空部１０ａは、カメラ本体４１の横方向の長さよりも小さい直径となるように形成されており、レンズ体４２を保持部１０に納めると、カメラ本体４１は中空部１０ａを形成する覆部１２及び帯片１４、１４の上縁部に当接する。この上縁部が載置部１３となってカメラ本体４１を保持し、カメラ本体４１が保持部１０内に入らないようにしている。すなわち、載置部１３がストッパの機能を果たしてカメラ４をケース本体１に固定した状態とすることができる。
【００２４】
本実施形態においては、保持部１０を腰当て基板１１と覆部１２とから構成するものとしたが、保持部１０の構成については、レンズ体４２を出入自在な筒状で、レンズ体４２を挿入した状態でカメラ本体４１を戴置する戴置部１３を上縁部に形成するものであれば筒状の保持部１０全体を一体的に形成するなど他の形態を採ることもできる。
【００２５】
図５は本実施形態における保持部１０を展開した状態を示す平面図である。腰当て基板１１と覆部１２は、対応する各端部に係脱自在な一対の第１係合部材１５をそれぞれ有している。この第１係合部材１５の係合状態を解除し、さらに覆部１２と腰当て基板１１の帯片１４との接合状態を解除することで、保持部１０の直径を調節することができるようになる。保持部１０を適切な直径となるように調整した後に、覆部１２を再び帯片１４に対して接合させ、第１係合部材１５を係合状態とすることで、異なる直径を有するレンズ体４２にも対応させることができるようになる。
【００２６】
腰当て基板１１の各帯片１４、１４と覆部１２は、巻き帯状に配置されて接合しているため、携行中に誤って覆部１２と帯片１４が離隔してしまう恐れがある。しかし、腰当て基板１１と覆部１２は対応する各端部に第１係合部材１５をそれぞれ有しているため、各第１係合部材１５、１５を係合状態としておくことで携行中の帯片１４と覆部１２との離隔が防止され、保持しているカメラ４の落下を防止することができる。また、本実施形態においては覆部１２と各帯片１４、１４が巻き帯状に配置されるため、重合されて保持部１０の厚さが増し、レンズ体４２への衝撃をより緩衝できると共に、カメラ本体４１をより安定して戴置することができる。
【００２７】
カメラ本体４１を固定する固定ベルト２０は、図３に示すように、その一端は保持部１０を形成する腰当て基板１１の上部に固定され、もう一端は保持部１０を形成する覆部１２の外面略中間部に固定される。すなわち、固定ベルト２０は、保持部１０の上方を跨ぐように設けられ、保持部１０で保持されるカメラ本体４１の背部に巻き回して覆部１２に固定することで、カメラ本体４１を戴置部１３とで挟持し、カメラ４を強固に固定しておくことができる。
【００２８】
また、固定ベルト２０は、図１に示すように、係脱自在な第２係合部材２１を介して保持部１０を形成する覆部１２に固定されている。第２係合部材２１は、硬質合成樹脂材等により形成されると共に、固定ベルト２０の長さを調節する長さ調節部２２を有している。したがって、固定ベルト２０は第２係合部材２１により覆部１２と係脱自在とされ、カメラ４を保持した状態でカメラ本体４１を固定及び固定解除できるため、カメラ４の出し入れを阻害しないで即座にカメラ４を取り出すまたは納めることができる。
【００２９】
また、第２係合部材２１は長さ調節部２２を有することにより、カメラ本体４１の固定度合を調節することができると共に、カメラ本体４１の大きさの異なるカメラ４にも対応することができる。さらに、図３に示すように、長さ調節のための余剰部２０ａを長さ調節部２２から折り返して面ファスナにより固定ベルト２０に接離自在とすると、よりコンパクトにまとめることができて携行し易くなる。
【００３０】
ここで、固定ベルト２０は、例えばゴムバンド等により第２係合部材２１を用いずにカメラ本体４１を固定又は固定解除する等、本実施形態に限られず様々適用可能である。また、カメラ本体４１をより安定して固定するため、固定ベルト２０を複数設けることとしてもよい。
【００３１】
吊下部３０は、図３に示すように、保持部１０を形成する腰当て基板１１上部に一体的に形成される。吊下部３０は腰当て基板１１から連続する帯片３１からなり、この帯片３１を腰当て基板１１後方に折り曲げてその端部３１ａが腰当て基板１１の背面に固定され、ベルト通し孔３２が形成される。このベルト通し孔３２に人体腰部に装着されたベルト５０を通すことにより、保持部１０が人体腰部に固定されて、ケース本体１を固定することができる。また、ベルト通し孔３２を形成する帯片３１の端部３１ａを腰当て基板１１に係脱自在とすると、ベルト５０をベルト通し孔３２に容易に通すことができて、人体腰部への装着をより容易とすることができる。なお、帯片３１は腰当て基板１１前方に折り曲げてその端部３１ａを腰当て基板１１の前面に固定するようにしてもよい。
【００３２】
また、吊下部３０は、図３に示すように、その背面に固定ベルト２０の一端が固定されている。このため、カメラ本体４１が戴置部１３に戴置されると、吊下部３０は前面がカメラ本体４１底部と当接し、固定ベルト２０及び戴置部１３と共にカメラ本体４１を固定することになる。これにより、カメラ本体４１をより安定して固定することができると共に、腰当て基板１１と帯片１４、１４との接合部１６上端にかかる荷重が分散され、帯片１４、１４が接合部１６上端から引き裂かれることを防ぐことができる。
【００３３】
また、吊下部３０は人体腰部との固定を補強する帯状の吊り紐３２を有している。吊り紐３２は、図４に示すように、腰当て基板１１の左右両端に対し、係脱自在な連結部材３３ａ、３３ｂにより連結されて輪状に形成される。連結部材３３ａ、３３ｂは、硬質合成樹脂材又は金属等により形成され、吊り掛け状に連結される。吊り紐３２は、吊下部３０をベルト５０に通して固定した上で、人体腰部に対して腰巻き状態として使用する。これにより、ケース本体１の固定が補強され、より安全にカメラ４を携行することができる。
【００３４】
なお、本実施形態では吊下部３０は腰当て基板１１に対して一体的に形成しているが、これに限らず別体として腰当て基板１１に固定するようにしてもよい。ただし、吊下部３０には固定ベルト２０を固定しているので、腰当て基板１１と一体的に形成した方が強度的には有利である。
【００３５】
次にカメラ本体４１及びカメラ本体４１の一面に突設された筒状のレンズ体４２からなるカメラ４の携行及び出入方法について説明する。ここで、図６に本実施形態における保持部１０へのカメラ４の挿入について示した側面図を示す。
【００３６】
まず、吊下部３０のベルト通し孔３２にベルト５０を通し保持部１０を人体腰部に固定する。次に、固定ベルト２０に有する第２係合部材２１の係止状態を解除して固定ベルト２０を持上げた状態とする。そして、レンズ体４２を筒状の保持部１０に挿入し覆部１２の上縁部に形成された戴置部１３にカメラ本体４１を戴置する。これにより、カメラ４を保持することができる。カメラ４を保持した状態で、固定ベルト２０をカメラ本体４１の背部に巻き回して第２係合部材２１を係止状態とすることにより、図１に示すようなカメラ４が保持固定された状態となり、安全に携行できる状態となる。
【００３７】
カメラ４を取り出す際には、固定ベルト２０に有する第２係合部材２１の係止状態を解除し固定ベルト２０を持上げた状態で、レンズ体４２を抜き出すようにカメラ本体４１を引っ張り上げることにより取出可能である。レンズ体４２を納める保持部１０は筒状であってカメラ本体４１は載置部１３に載置された状態であるから、固定ベルト２０を固定解除することにより、カメラ４を持ち上げるだけでケース本体１から取り出すことができる。すなわち、カメラ４を使用したいときに素早くカメラ４をケース本体１から取り出すことができるので、シャッターチャンスを逃すことなく撮影を行うことができる。また、腰当て基板１１と覆部１２により形成される保持部１０は上下端が開口しているため、レンズ体４１の長さに制限されず、レンズ体４１の長さの異なるカメラ４にも対応可能である。
【００３８】
以上、本発明の実施形態について説明したが、本発明の適用はこの実施形態には限られず、その技術的思想の範囲内において様々に適用されうるものである。例えば、本発明におけるカメラケースは吊り紐３３を用いることによって肩掛け用として使用することもできる。
【図面の簡単な説明】
【００３９】
【図１】本実施形態におけるカメラケースにカメラを保持した状態を示す斜視図である。
【図２】本実施形態におけるカメラケースの斜視図である。
【図３】本実施形態におけるカメラケースの側面図である。
【図４】本実施形態におけるカメラケースの平面図である。
【図５】本実施形態におけるカメラケースの要部である保持部の展開を示した平面図である。
【図６】本実施形態におけるカメラケースにカメラを挿入する状態を示した側面図である。
【符号の説明】
【００４０】
１    ケース本体
４    カメラ
１０    保持部
１０ａ  中空部
１１    腰当て基板
１２    覆部
１３    戴置部
１４    帯片
１５    第１係合部材
１６    接合部
２０    固定ベルト
２１    第２係合部材
２２    長さ調節具
３０    吊下部
３１    帯片
３２    ベルト通し孔
３３    吊り紐
４０    カメラ本体
４１    レンズ体
５０    ベルト
【図１】
2006081776.tif 000003
【図２】
2006081776.tif 000004
【図３】
2006081776.tif 000005
【図４】
2006081776.tif 000006
【図５】
2006081776.tif 000007
【図６】
2006081776.tif 000008